【手続補正書】
【提出日】平成30年1月18日(2018.1.18)
【手続補正１】
【補正対象書類名】明細書
【補正対象項目名】０００６
【補正方法】変更
【補正の内容】
【０００６】
請求項１に記載の発明は、ユーザの生体情報と、当該ユーザの位置情報を取得する第１取得部と、複数のユーザから取得した前記生体情報と前記位置情報に基づき、位置毎のユーザ状態を示す第１状態情報を生成する第１生成部と、過去の第１状態情報を、日時情報とともに履歴情報として取得する第２取得部と、前記履歴情報に基づき、任意の位置及び任意の期間または時刻において予測されるユーザ状態を示す予測状態情報、または、所定期間内における前記第１状態情報の平均を示す平均状態情報のうち少なくとも一つを含む第２状態情報を生成する第２生成部と、前記第２状態情報を出力表示する出力部と、を備えることを特徴とするユーザ状態予測システムである。
【手続補正２】
【補正対象書類名】明細書
【補正対象項目名】０００７
【補正方法】変更
【補正の内容】
【０００７】
請求項６に記載の発明は、複数のユーザから取得した生体情報と位置情報に基づき、位置毎のユーザ状態を示す第１状態情報を生成する第１生成部を有する情報処理装置と通信を行うユーザ状態予測装置であって、過去の第１状態情報を、日時情報とともに履歴情報として取得する第２取得部と、前記履歴情報に基づき、任意の位置及び任意の期間または時刻において予測されるユーザ状態を示す予測状態情報、または、所定期間内における前記第１状態情報の平均を示す平均状態情報のうち少なくとも一つを含む第２状態情報を生成する第２生成部と、前記第２状態情報を出力表示する出力部と、を備えることを特徴とするユーザ状態予測装置である。
【手続補正３】
【補正対象書類名】明細書
【補正対象項目名】０００８
【補正方法】変更
【補正の内容】
【０００８】
請求項７に記載の発明は、ユーザの生体情報と位置情報を送信する端末装置から、当該生体情報と当該位置情報を受信する受信部と、複数の端末から受信した前記生体情報と前記位置情報に基づき、位置毎のユーザ状態を示す第１状態情報を生成する第１生成部と、過去の第１状態情報を、日時情報とともに履歴情報として取得する第２取得部と、前記履歴情報に基づき、任意の位置及び任意の期間または時刻において予測されるユーザ状態を示す予測状態情報、または、所定期間内における前記第１状態情報の平均を示す平均状態情報のうち少なくとも一つを含む第２状態情報を生成する第２生成部と、を備えることを特徴とする情報処理装置である。
【手続補正４】
【補正対象書類名】明細書
【補正対象項目名】０００９
【補正方法】変更
【補正の内容】
【０００９】
請求項８に記載の発明は、ユーザの生体情報と、当該ユーザの位置情報を取得し、複数のユーザから取得した前記生体情報と前記位置情報に基づき、位置毎のユーザ状態を示す第１状態情報を生成し、過去の第１状態情報を、日時情報とともに履歴情報として取得し、前記履歴情報に基づき、任意の位置及び任意の期間または時刻において予測されるユーザ状態を示す予測状態情報、または、所定期間内における前記第１状態情報の平均を示す平均状態情報のうち少なくとも一つを含む第２状態情報を生成し、前記第２状態情報を出力表示する、ことを特徴とするユーザ状態予測方法である。
【手続補正５】
【補正対象書類名】明細書
【補正対象項目名】００１３
【補正方法】変更
【補正の内容】
【００１３】
以下、本発明の一実施形態を説明する。本発明の一実施形態に係るユーザ状態予測システムは、ユーザの生体情報と、当該ユーザの位置情報を取得する第１取得部と、複数のユーザから取得した前記生体情報と前記位置情報に基づき、位置毎のユーザ状態を示す第１状態情報を生成する第１生成部と、過去の第１状態情報を、日時情報とともに履歴情報として取得する第２取得部と、前記履歴情報に基づき、任意の位置及び任意の期間または時刻において予測されるユーザ状態を示す予測状態情報、または、所定期間内における前記第１状態情報の平均を示す平均状態情報のうち少なくとも一つを含む第２状態情報を生成する第２生成部と、前記第２状態情報を出力表示する出力部と、を備えている。
【手続補正６】
【補正対象書類名】明細書
【補正対象項目名】００１５
【補正方法】変更
【補正の内容】
【００１５】
また、前記ユーザ状態予測装置は、前記第２取得部は、前記履歴情報として、天候情報、前記任意の位置におけるイベント情報、及び、前記任意の位置における施設の施設情報のうち少なくとも１つをさらに取得する、ユーザ状態予測システムである。
【手続補正７】
【補正対象書類名】明細書
【補正対象項目名】００１６
【補正方法】変更
【補正の内容】
【００１６】
また、前記第２状態情報は前記予測状態情報を含み、前記表示部は、前記予測状態情報を前記任意の位置及び前記任意の期間または時刻とともに表示するユーザ状態予測システムである。
【手続補正８】
【補正対象書類名】明細書
【補正対象項目名】００１７
【補正方法】変更
【補正の内容】
【００１７】
また、前記第１状態情報は、前記複数のユーザの平均的な興奮状態を示す興奮状態情報、及び、当該複数のユーザの人数に基づく密集度情報が含まれる、ユーザ状態予測システムである。
【手続補正９】
【補正対象書類名】明細書
【補正対象項目名】００１８
【補正方法】変更
【補正の内容】
【００１８】
また、本発明の一実施形態に係るユーザ状態予測装置は、複数のユーザから取得した生体情報と位置情報に基づき、位置毎のユーザ状態を示す第１状態情報を生成する第１生成部を有する情報処理装置と通信を行うユーザ状態予測装置であって、過去の第１状態情報を、日時情報とともに履歴情報として取得する第２取得部と、前記履歴情報に基づき、任意の位置及び任意の期間または時刻において予測されるユーザ状態を示す予測状態情報、または、所定期間内における前記第１状態情報の平均を示す平均状態情報のうち少なくとも一つを含む第２状態情報を生成する第２生成部と、前記第２状態情報を出力表示する出力部と、を備えることを特徴とするユーザ状態予測装置である。
【手続補正１０】
【補正対象書類名】明細書
【補正対象項目名】００１９
【補正方法】変更
【補正の内容】
【００１９】
また、本発明の一実施形態に係る情報処理装置は、ユーザの生体情報と位置情報を送信する端末装置から、当該生体情報と当該位置情報を受信する受信部と、複数の端末から受信した前記生体情報と前記位置情報に基づき、位置毎のユーザ状態を示す第１状態情報を生成する第１生成部と、過去の第１状態情報を、日時情報とともに履歴情報として取得する第２取得部と、前記履歴情報に基づき、任意の位置及び任意の期間または時刻において予測されるユーザ状態を示す予測状態情報、または、所定期間内における前記第１状態情報の平均を示す平均状態情報のうち少なくとも一つを含む第２状態情報を生成する第２生成部と、を備える情報処理装置である。
【手続補正１１】
【補正対象書類名】明細書
【補正対象項目名】００２０
【補正方法】変更
【補正の内容】
【００２０】
また、本発明の一実施形態に係るユーザ状態予測方法は、ユーザの生体情報と、当該ユーザの位置情報を取得し、複数のユーザから取得した前記生体情報と前記位置情報に基づき、位置毎のユーザ状態を示す第１状態情報を生成し、過去の第１状態情報を、日時情報とともに履歴情報として取得し、前記履歴情報に基づき、任意の位置及び任意の期間または時刻において予測されるユーザ状態を示す予測状態情報、または、所定期間内における前記第１状態情報の平均を示す平均状態情報のうち少なくとも一つを含む第２状態情報を生成し、前記第２状態情報を出力表示する、ユーザ状態予測方法である。
【手続補正１２】
【補正対象書類名】特許請求の範囲
【補正対象項目名】全文
【補正方法】変更
【補正の内容】
【特許請求の範囲】
【請求項１】
ユーザの生体情報と、当該ユーザの位置情報を取得する第１取得部と、
複数のユーザから取得した前記生体情報と前記位置情報に基づき、位置毎のユーザ状態を示す第１状態情報を生成する第１生成部と、
過去の第１状態情報を、日時情報とともに履歴情報として取得する第２取得部と、
前記履歴情報に基づき、任意の位置及び任意の期間または時刻において予測されるユーザ状態を示す予測状態情報、または、所定期間内における前記第１状態情報の平均を示す平均状態情報のうち少なくとも一つを含む第２状態情報を生成する第２生成部と、
前記第２状態情報を出力表示する出力部と、
を備えることを特徴とするユーザ状態予測システム。
【請求項２】
前記ユーザ状態予測システムは表示部を更に備え、
前記第１取得部は地図情報を更に取得し、
前記出力部は、前記第２状態情報を前記地図情報とともに表示する表示情報として、前記表示部に出力する
ことを特徴とする請求項１に記載のユーザ状態予測システム。
【請求項３】
前記第２取得部は、前記履歴情報として、天候情報、前記任意の位置におけるイベント情報、及び、前記任意の位置における施設の施設情報のうち少なくとも１つをさらに取得することを特徴とする請求項１または２に記載のユーザ状態予測システム。
【請求項４】
前記第２状態情報は前記予測状態情報を含み、
前記表示部は、前記予測状態情報を前記任意の位置及び前記任意の期間または時刻とともに表示することを特徴とする請求項１乃至３のいずれか一項に記載のユーザ状態予測システム。
【請求項５】
前記第１状態情報は、前記複数のユーザの平均的な興奮状態を示す興奮状態情報、及び、当該複数のユーザの人数に基づく密集度情報が含まれることを特徴とする請求項１乃至４のいずれか一項に記載のユーザ状態予測システム。
【請求項６】
複数のユーザから取得した生体情報と位置情報に基づき、位置毎のユーザ状態を示す第１状態情報を生成する第１生成部を有する情報処理装置と通信を行うユーザ状態予測装置であって、
過去の第１状態情報を、日時情報とともに履歴情報として取得する第２取得部と、
前記履歴情報に基づき、任意の位置及び任意の期間または時刻において予測されるユーザ状態を示す予測状態情報、または、所定期間内における前記第１状態情報の平均を示す平均状態情報のうち少なくとも一つを含む第２状態情報を生成する第２生成部と、
前記第２状態情報を出力表示する出力部と、
を備えることを特徴とするユーザ状態予測装置。
【請求項７】
ユーザの生体情報と位置情報を送信する端末装置から、当該生体情報と当該位置情報を受信する受信部と、
複数の端末から受信した前記生体情報と前記位置情報に基づき、位置毎のユーザ状態を示す第１状態情報を生成する第１生成部と、
過去の第１状態情報を、日時情報とともに履歴情報として取得する第２取得部と、
前記履歴情報に基づき、任意の位置及び任意の期間または時刻において予測されるユーザ状態を示す予測状態情報、または、所定期間内における前記第１状態情報の平均を示す平均状態情報のうち少なくとも一つを含む第２状態情報を生成する第２生成部と、
を備えることを特徴とする情報処理装置。
【請求項８】
ユーザの生体情報と、当該ユーザの位置情報を取得し、
複数のユーザから取得した前記生体情報と前記位置情報に基づき、位置毎のユーザ状態を示す第１状態情報を生成し、
過去の第１状態情報を、日時情報とともに履歴情報として取得し、
前記履歴情報に基づき、任意の位置及び任意の期間または時刻において予測されるユーザ状態を示す予測状態情報、または、所定期間内における前記第１状態情報の平均を示す平均状態情報のうち少なくとも一つを含む第２状態情報を生成し、
前記第２状態情報を出力表示する、ことを特徴とするユーザ状態予測方法。
【請求項９】
請求項８に記載のユーザ状態予測方法を、コンピュータに実行させることを特徴とするプログラム。
【請求項１０】
請求項９に記載のプログラムを格納したことを特徴とするコンピュータ読み取り可能な記録媒体。